(57)【特許請求の範囲】
【請求項１】
利用者ＩＤに関連付けて少なくとも利用者の年齢を登録しておく利用者データベース、及び、歌唱者の利用者ＩＤと当該利用者ＩＤを取得して歌唱された楽曲ＩＤを含む演奏ログを記憶しておく演奏ログデータベースを備え、歌唱に際して演奏テンポを自動的に調整できるテンポ調整機能を備えるカラオケシステムであって、
利用者年齢取得手段、演奏楽曲分析手段、テンポレベル対応テーブル及びテンポ設定手段を有するものであり、
前記利用者年齢取得手段は、前記利用者ＩＤに基づき前記利用者データベースより当該利用者の年齢を取得し、
前記演奏楽曲分析手段は、前記利用者データベース及び演奏ログデータベースにより所定年齢以上の利用者が歌唱した楽曲の楽曲ＩＤを取得し、予め設定された演奏度数以上の楽曲を特定楽曲とし、
前記テンポレベル対応テーブルは、前記特定楽曲を一括として、若しくは当該特定楽曲の楽曲ＩＤ毎に、原曲テンポより遅いテンポレベルが対応付けられ、
前記テンポ設定手段は、選曲者が利用者ＩＤより取得される年齢において所定年齢以上であり、当該選曲者により選曲された楽曲が前記特定楽曲である場合には、前記テンポレベル対応テーブルの対応するテンポレベルを特定する、
ことを特徴とするテンポ調整機能を備えるカラオケシステム。
【請求項２】
請求項１記載のテンポ調整機能を備えるカラオケシステムであって、
前記演奏ログデータベースには、前記楽曲ＩＤ、歌唱者の利用者ＩＤに加えてテンポを含ませた演奏ログを記憶しておき、
前記演奏楽曲分析手段は、前記利用者データベース及び演奏ログデータベースより所定年齢以上の利用者が歌唱した楽曲の楽曲ＩＤ、歌唱者の利用者ＩＤ、歌唱者の年齢及び楽曲演奏時のテンポを取得して予め設定された演奏度数以上の楽曲を特定楽曲とし、当該特定楽曲を一括として、若しくは当該特定楽曲の楽曲ＩＤ毎に、テンポレベルの分析を行って前記テンポレベル対応テーブルを設定することを特徴とするテンポ調整機能を備えるカラオケシステム。
【発明の詳細な説明】
【技術分野】
【０００１】
本発明は、楽曲再生に際して音程を変えずにテンポを変化させるテンポ調整機能を備えるカラオケシステムに関する。
【背景技術】
【０００２】
近年、カラオケシステムにおいては、備えられる楽曲データには、音符データと当該音符データを出力するタイミングデータが関連付けられているものがある（例えば、ＭＩＤＩ（登録商標）データ）。このような、楽曲データは音程を変化させずに出力タイミング（テンポ）を変化させることで、歌唱者に歌唱しやすくさせる等の利便性を提供することができる。
【０００３】
従来、カラオケシステムでは、歌唱のテンポについては原曲と同じデフォルト設定されているが、歌唱者が高齢になるに従い、デフォルト設定されたテンポではついていけなくなることから、テンポを調整する機能を備えているものものある。このテンポ調整は、操作パネルなどのテンポキーを操作することで行われるのが一般的であるが、高齢者には特に手間をかけることになると共に、歌唱中にテンポ調整が行われるのが大半であり、歌唱途中でテンポが変化することは不自然に聴取され、またテンポについていけないことを他の利用者に印象付けることにもなる。
【０００４】
そこで、テンポなどを自動調整する技術として下記の特許文献で提案されているものがある。この特許文献１は、予め利用者のカードにカラオケ曲と音調やテンポ等の演奏条件とを記憶させておき、当該利用者の歌唱の際に上記カードからカラオケ曲及び演奏条件を入力して、当該カラオケ曲を当該演奏条件で再生することが開示されている。
【０００５】
【特許文献１】特許第２８０８７９２号公報
【発明の開示】
【発明が解決しようとする課題】
【０００６】
しかしながら、上記特許文献１では、利用者に適したテンポで歌唱することができるものの、歌唱楽曲を予めカードに記憶させておかなければならず、当該カードに記憶されていない楽曲には対処することができないという問題がある。
【０００７】
そこで、本発明は上記課題に鑑みなされたもので、高齢者などの原曲テンポでは歌唱困難な利用者に対して予め登録しておくことなく歌唱の際に自動的にテンポ調整を可能とするテンポ調整機能を備えるカラオケシステムを提供することを目的とする。
【課題を解決するための手段】
【０００８】
上記課題を解決するために、請求項１の発明では、利用者ＩＤに関連付けて少なくとも利用者の年齢を登録しておく利用者データベース、及び、歌唱者の利用者ＩＤと当該利用者ＩＤを取得して歌唱された楽曲ＩＤを含む演奏ログを記憶しておく演奏ログデータベースを備え、歌唱に際して演奏テンポを自動的に調整できるテンポ調整機能を備えるカラオケシステムであって、利用者年齢取得手段、演奏楽曲分析手段、テンポレベル対応テーブル及びテンポ設定手段を有するものであり、前記利用者年齢取得手段は、前記利用者ＩＤに基づき前記利用者データベースより当該利用者の年齢を取得し、前記演奏楽曲分析手段は、前記利用者データベース及び演奏ログデータベースにより所定年齢以上の利用者が歌唱した楽曲の楽曲ＩＤを取得し、予め設定された演奏度数以上の楽曲を特定楽曲とし、前記テンポレベル対応テーブルは、前記特定楽曲を一括として、若しくは当該特定楽曲の楽曲ＩＤ毎に、原曲テンポより遅いテンポレベルが対応付けられ、前記テンポ設定手段は、選曲者が利用者ＩＤより取得される年齢において所定年齢以上であり、当該選曲者により選曲された楽曲が前記特定楽曲である場合には、前記テンポレベル対応テーブルの対応するテンポレベルを特定する、構成とする。
【０００９】
請求項２の発明では、前記演奏ログデータベースには、前記楽曲ＩＤ、歌唱者の利用者ＩＤに加えてテンポを含ませた演奏ログを記憶しておき、前記演奏楽曲分析手段は、前記利用者データベース及び演奏ログデータベースより所定年齢以上の利用者が歌唱した楽曲の楽曲ＩＤ、歌唱者の利用者ＩＤ、歌唱者の年齢及び楽曲演奏時のテンポを取得して予め設定された演奏度数以上の楽曲を特定楽曲とし、当該特定楽曲を一括として、若しくは当該特定楽曲の楽曲ＩＤ毎に、テンポレベルの分析を行って前記テンポレベル対応テーブルを設定する構成である。
【発明の効果】
【００１０】
本発明によれば、所定年齢以上の利用者が歌唱した所定数の楽曲ＩＤを取得して予め設定された演奏度数以上の楽曲を特定楽曲とし、選曲者が所定年齢以上であり、当該選曲者により選曲された楽曲が当該特定楽曲である場合に、テンポレベル対応テーブルの対応するテンポレベルを特定する構成とすることにより、高齢者などの原曲テンポでは歌唱困難な利用者に対して予め登録しておくことなく歌唱の際に自動的にテンポ調整を行わせることができるものである。
【発明を実施するための最良の形態】
【００１１】
以下、本発明の最良の実施形態を図により説明する。
図1に、本発明に係るカラオケシステムの系統構成図を示す。図１（Ａ）は通信ネットワークを使用して本システムを構成させた場合のネットワーク模式図、図１（Ｂ）はホスト装置の概要ブロック構成図である。図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１２】
ホスト装置１１は、図１（Ｂ）に示すように、少なくとも送受信手段２１、制御手段２２、演奏楽曲分析手段２３、演奏ログデータベース（ＤＢ）２４及び利用者データベース（ＤＢ）２５を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。上記制御手段２２は、当該ホスト装置１１を統括的に制御するもので、例えば物理的なＣＰＵであり、図示しないＲＯＭに格納されているプログラムのアルゴリズム処理を行う。
【００１３】
上記演奏楽曲分析手段２３は、所定期間（１日単位、３日単位、１週間単位、１月単位等）毎に、利用者ＤＢ２５及び演奏ログＤＢ２４より所定年齢以上の利用者が歌唱した楽曲の楽曲ＩＤ、歌唱者の利用者ＩＤ、歌唱者の年齢及び楽曲演奏時のテンポを取得して予め設定された演奏度数（度数のうち、期間を限定した頻度でもよい。ここでは頻度として説明する。）以上の楽曲を特定楽曲とし、当該特定楽曲を一括として、若しくは当該特定楽曲の楽曲ＩＤ毎に、テンポレベルの分析を行ってテンポレベル対応テーブル２３Ａを設定する（図３及び図４で説明する）。当該テンポレベル対応テーブル２３Ａは、特定楽曲を一括として、若しくは当該特定楽曲の楽曲ＩＤ毎に（ここでは楽曲ＩＤ毎とする）、原曲テンポより遅いテンポレベルが対応付けられたものである。本実施形態では、特定楽曲の楽曲ＩＤ毎に原曲テンポより遅いテンポレベルが対応付けられたものとして説明する。
【００１４】
上記演奏ログＤＢ２４は、当該ホスト装置１１が統括管理する各カラオケ演奏端末１３で歌唱者の利用者ＩＤと当該利用者ＩＤを取得して歌唱された総ての楽曲ＩＤ、年齢、テンポレベルが演奏ログとして順次格納されるデータベースである。上記利用者ＤＢ２５は、利用者ＩＤで管理される利用者毎に少なくとも年齢情報が登録されたデータベースであり、例えば利用者ＩＤ、氏名、セカンドネーム、住所、電話、生年月日（年齢）、性別、職業、登録者の顔写真等のイメージファイル名が関連付けられると共に、当該利用者の歌唱履歴（例えばマイボックスとして）が関連付けられたものであり、当該イメージデータや歌唱履歴は当該利用者ＤＢ２５中に格納されているものである。
【００１５】
続いて、図２に、本発明のカラオケシステムに係るカラオケ演奏端末のブロック構成図を示す。図２に示すカラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続され、当該遠隔入出力端末３６は、主要構成の他に楽曲検索手段３７及び利用者ＩＤ読取部３８を備える。
【００１６】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００１７】
上記遠隔入出力端末３６は、ユーザインタフェース機能を備えて対応のカラオケ演奏装置１２（後述の送受信部５３Ａ）に対して有線方式ないし無線方式（ＩＲ方式やブルートゥース（登録商標）機構のピコネット接続方式など）を利用してデータ授受を行うためのもので、そのための回路基板及びプログラムを備える。上記ユーザインタフェース機能としては、図示しない端末表示部としての液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１８】
また、遠隔入出力端末３６の備える楽曲検索手段３７は、上記ユーザインタフェース機能により利用者に楽曲を選曲させるプログラムである（図６参照）。さらに、遠隔入出力端末３６の備える利用者ＩＤ読取部３８は、利用者のログイン要求で所持するＩＣカード等が提示された時に、当該ＩＣカード等から利用者ＩＤを取得して、図示しないＲＡＭに記憶させ、またカラオケ演奏装置３１に送出する。なお、利用者ＩＤ読取部３８を、カラオケ演奏装置３１に備えさせてもよい。
【００１９】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８、利用者年齢取得手段５０、テーブル取得手段５１、テンポ設定手段５２、送受信部５３Ａ，５３Ｂを適宜備える。また、ＲＡＭ４４には、利用者情報記憶部５４、予約待ち行列５５、テンポレベル対応テーブル５６及び演奏ログ記憶部５７の領域が形成される。なお、上記各構成について、本発明の要旨と直接関連しない要素部分であっても、従前のカラオケ装置においても大部分が適用可能であることを示すために、装置全体を説明する。
【００２０】
中央制御部４２は、このシステムを統括的に処理制御する物理的なＣＰＵであり、ＲＯＭ４３に記憶されているプログラムに基づくアルゴリズム処理を行うもので、ここでは取得した利用者ＩＤに基づいてホスト装置１１に対して該当の利用者情報を要求する。上記ＲＡＭ４４は、後述する利用者情報記憶部５４、予約待ち行列５５、テンポレベル対応テーブル５６及び演奏ログ記憶部５７の領域が形成される他に、上記種々のプログラムを展開、実行させるための作業領域としての役割をなすもので、例えば半導体メモリで構成され、仮想的にハードディスク上に構築される場合をも含む概念である。
【００２１】
上記楽曲ＤＢ４５は、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００２２】
上記再生制御部４７は、演奏時に、映像ＤＢ４６より抽出された所定数のシーン映像データ及び歌詞テロップデータ（歌詞文字データ）を当該楽曲の演奏データに同期させて表示部３２に出力する電子回路である。上記音楽曲出力部４８は、楽曲コードで楽曲ＤＢ４５より抽出された演奏データをデジタル再生し、アナログ変換してミキシングアンプ３３に出力する電子回路である。また、音楽曲出力部４８は、上述のように、音符データと当該音符データを出力するタイミングデータが関連付けられており、演奏データの音程を変化させずに出力タイミング（テンポ）を変化させる機能を有する。
【００２３】
上記利用者年齢取得手段５０は、遠隔入出力端末３６より送信されてきた利用者ＩＤに基づき後述の送受信部５３Ｂ、通信ネットワーク１２を介してホスト装置１１の利用者ＤＢ２５より当該利用者の生年月日（年齢）を取得し、当該利用者ＩＤに年齢を附帯させて後述のＲＡＭ４４の利用者情報記憶部５４に記憶させるプログラムである。
【００２４】
上記テーブル取得手段５１は、後述の送受信部５３Ｂ、通信ネットワーク１２を介してアクセスしたホスト装置１１の演奏楽曲分析手段２３で設定されたテンポレベル対応テーブル２３Ａ（図４（Ｃ）で説明する）を取得し、ＲＡＭ４４にテンポレベル対応テーブル５６として記憶させるプログラムである。当該テンポレベル対応テーブル５６は、特にここでは特定楽曲の楽曲ＩＤ毎に原曲テンポより遅いテンポレベルが対応付けられたものである。
【００２５】
上記テンポ設定手段５２は、選曲者が利用者ＩＤより取得される年齢において所定年齢以上であり、当該選曲者により選曲された楽曲が特定楽曲である場合には、テンポレベル対応テーブル５６の対応するテンポレベルを特定し、音楽曲出力部４８に送出して演奏データのテンポ調整させるプログラムである。上記特定楽曲は、ホスト装置１１の演奏楽曲分析手段２３で特定された楽曲であり、ここではテンポレベル対応テーブル５６で参照される。
【００２６】
上記送受信部５３Ａは、遠隔入出力端末３６との間で有線方式ないし無線方式（ＩＲ方式やブルートゥース機構のピコネット接続方式など）を利用してデータ授受を行うためのもので、そのための電子回路及びプログラムである。上記送受信部５３Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００２７】
なお、ＲＡＭ４４に記憶される利用者情報記憶部５４は、利用者ＩＤ及び年齢の他に、例えばニックネームやイメージ（顔写真等）などのログインにより利用者ＤＢ２５より取得された情報を記憶する。また、ＲＡＭ４４に形成される予約待ち行列５５は、中央制御部４２が利用者により選曲された楽曲ＩＤにテンポレベル及び特定楽曲フラグを附帯させて予約順に記憶させていくデータである（図８で説明する）。また、ＲＡＭ４４に形成される演奏ログ記憶部５７は、当該カラオケ演奏端末１３で演奏された総ての楽曲ＩＤ、年齢、テンポレベルを記憶しておくもので、例えば利用者のログアウト時に（所定期間毎でもよい）、中央制御部４２が送受信部５３Ｂ、通信ネットワーク１２を介してホスト装置１１に送出して演奏ログＤＢ２４に格納させるものである。
【００２８】
また、図示しないが、当該カラオケ演奏装置３１には、利用者による選択した楽曲の楽曲コードを直接入力するためのものや、演奏楽曲のテンポや、歌唱音声に対する種々の調節を行うボタンやツマミ類が可変抵抗器等の電子素子に直結された操作パネルも接続される。ところで、カラオケ演奏端末１３をスタンドアローンのカラオケシステムとして適用させる場合には上記演奏ログＤＢ２４及び利用者ＤＢ２５を備えさせる構成とすることにより実現することができるものである。
【００２９】
ここで、図３に図１の演奏楽曲分析手段の処理フローチャートを示すと共に、図４に図１の演奏楽曲分析手段による特定楽曲、テンポ対応テーブル設定の処理説明図を示す。図３において、演奏楽曲分析手段２３は、演奏ログＤＢ２４に楽曲ＩＤ毎に記憶されている利用者ＩＤから利用者ＤＢを参照して年齢を特定し、当該演奏ログＤＢ２４より所定年齢以上の利用者が歌唱した楽曲の楽曲ＩＤ及びテンポレベルを抽出する（ステップ（Ｓ）１）。例えば、図４（Ａ）に示すように、年齢７０歳以上を高齢者として、当該高齢者の歌唱した楽曲が演奏ログＤＢ２４より抽出される。
【００３０】
そこで、抽出した楽曲ＩＤ及びテンポレベルに基づいて、当該楽曲ＩＤ毎の演奏度数の統計を行ってテンポレベルを分析し、所定頻度以上で歌唱された楽曲ＩＤを特定楽曲として当該楽曲ＩＤ毎の分析されたテンポレベルでテンポレベル対応テーブル２３Ａを設定する（Ｓ２）。この特定楽曲は、高齢者（ここでは、例えば７０歳以上とする）がよく歌唱する嗜好曲としての意味合いを有するものである。
【００３１】
例えば、図４（Ｂ）に示すように、１万回以上歌唱された楽曲ＩＤを特定楽曲とし、例えばこれら楽曲ＩＤ毎にテンポレベルの平均値を分析し、図４（Ｃ）に示すように、当該分析したテンポレベルを楽曲ＩＤ毎に対応付けてテンポレベル対応テーブル２３Ａを設定するものである。なお、本実施形態では、テンポレベル対応テーブル２３Ａにおいて、特定楽曲の楽曲ＩＤ毎に分析したテンポレベルを対応させた場合を示したが、特定楽曲を一括して一律のテンポレベルを対応させてもよいものである。
【００３２】
次に、図５に、図２のカラオケ演奏端末におけるログイン時の処理フローチャートを示す。図５（Ａ）において、まず、所定の利用者がカラオケ演奏端末１３に対して、例えば遠隔入出力端末３６の利用者ＩＤ読取部３８に対して利用者のログイン要求で所持するＩＣカード等が提示された時に、利用者ＩＤ読取部３８が当該ＩＣカード等から利用者ＩＤを取得して図示しないＲＡＭに記憶すると共に、カラオケ演奏装置３１に送信する（Ｓ１１）。
【００３３】
カラオケ演奏装置３１では、利用者年齢取得手段５０が、取得した利用者ＩＤに基づいて、送受信部５３Ｂから通信ネットワーク１２を介してホスト装置１１にアクセスし、利用者ＤＢ２５より当該利用者の年齢を取得し（Ｓ１２）、年齢を附帯した利用者ＩＤをＲＡＭ４４の利用者情報記憶部５４に記憶させる（Ｓ１３）。なお、適宜、利用者ＩＤに基づいてホスト装置１１の利用者ＩＤ２５よりニックネームやイメージ（顔写真等）、歌唱履歴など取得して記憶させておいてもよい。
【００３４】
また、図５（Ｂ）において、カラオケ演奏装置３１のテーブル取得手段５１は、ＲＡＭ４４の利用者情報記憶部５４に記憶された利用者の中に７０歳以上が存在するか否かを判断し（Ｓ２１）、存在しなければ処理を終了する。一方、利用者の中に７０歳以上が存在した場合（Ｓ２１）、テーブル取得手段５１がホスト装置１１の演奏楽曲分析手段２３が設定したテンポレベル対応テーブル２３Ａを取得し、ＲＡＭ４４にテンポレベル対応テーブル５６として記憶させるものである（Ｓ２２）。
【００３５】
続いて、図６に図２のカラオケ演奏端末におけるテンポ調整の処理フローチャートを示すと共に、図７に図２のカラオケ演奏端末における選曲時の画面表示の説明図を示し、図８に図２のカラオケ演奏端末における予約待ち行列の概念説明図を示す。図６において、まず、例えば遠隔入出力端末３６より利用者からの利用者ＩＤに基づく選曲要求があると（Ｓ３１）、楽曲検索手段３７が実行されて選曲画面が当該遠隔入出力端末３６の図示しない表示部に表示される（Ｓ３２）。
【００３６】
上記選曲画面に対して、図７に示すように、選曲者が所定内容を入力する。例えば、歌手名、曲名が入力されると、リクエストＮＯ．（楽曲ＩＤ）、歌い出し、原曲キーが自動的に表示される。そこで、テンポ設定の欄で、例えば「自動」、「手動」を選択させ、「手動」の場合にはテンポレベルの入力が原曲テンポを基準としてアップ、ダウンボタンで設定可能となる。
【００３７】
一例として、テンポレベルは原曲テンポを「０」（デフォルト値）として、早いテンポでは「＋」方向にアップボタンにより数字設定とし、遅いテンポでは「−」方向にダウンボタンにより数字設定としている。なお、本実施形態では、選曲者がテンポ設定を「自動」とした場合としている。そして、少なくとも選曲楽曲、テンポ設定が終了して転送キーが選択されることで、選曲内容がカラオケ演奏装置３１に転送される（Ｓ３３）。
【００３８】
そこで、テンポ設定手段５２は、転送されてきた選曲内容に基づいて、まず、テンポ設定データが「自動」か否かが判断され（Ｓ３４）、「自動」の場合には利用者ＩＤからＲＡＭ４４の利用者情報記憶部５４を参照して年齢を取得し、選曲者が７０歳以上か否かを判断する（Ｓ３５）。７０歳以上の場合には、選曲楽曲が特定楽曲としてテンポレベル対応テーブル５６に存在するか否かが判断される（Ｓ３６）。そして、当該選曲楽曲（楽曲ＩＤ）が特定楽曲（楽曲ＩＤ）としてテンポレベル対応テーブル５６に存在する場合には、テンポレベル対応テーブル５６で当該楽曲ＩＤに対応されているテンポレベルを特定し（３７）、ＲＡＭ４４の予約待ち行列５５に、当該楽曲ＩＤに特定したテンポレベル及び特定楽曲フラグ「１」を附帯させて選曲楽曲を登録する（Ｓ３８）。
【００３９】
一方、テンポ設定が「手動」の場合（Ｓ３４）、又は、選曲者が７０歳以上でなく（Ｓ３５）、又は選曲楽曲が特定楽曲リスト５７に存在しない場合には（Ｓ３６）、ＲＡＭ４４の予約待ち行列５５に、手動設定値又はデフォルト設定値のテンポレベルを附帯させて選曲楽曲を登録するものである（Ｓ３９）。なお、この場合においても７０歳以上であれば特定楽曲フラグ「１」を附帯させ、７０歳以上でなければ特定楽曲フラグ「０」を附帯させてもよい。
【００４０】
登録された選曲楽曲について、図８に示すように、予約待ち行列５５には、予約された楽曲の楽曲ＩＤにテンポレベル及び特定楽曲フラグが附帯された形態で表示される。例えば、１曲目と３曲目におけるテンポレベルがデフォルト値、かつ７０歳以上でない場合として特定楽曲フラグ「０」で附帯された場合であり、２曲目が例えば７５歳の利用者が、４曲目が例えば９０歳の利用者が、５曲目が例えば８０歳の利用者が、テンポレベル対応テーブル５６の特定楽曲に存在する楽曲ＩＤを自動テンポ設定で選曲した場合に、図４（Ｃ）に示すテンポレベル対応テーブル２３Ａ（５６）によりそれぞれのテンポレベル及び特定楽曲フラグ「１」が附帯されるものである。
【００４１】
続いて、図９に、図２のカラオケ演奏端末におけるログアウト時の処理フローチャートを示す。上記カラオケ演奏装置３１で利用者のログイン時から演奏された楽曲は、ログアウト時まで、ＲＡＭ４４の演奏ログ記憶部５７に当該楽曲ＩＤ、歌唱者の利用者ＩＤ、演奏曲のテンポレベルを順次記憶していく。そして、ログアウト時に（Ｓ４１）、歌唱により演奏ログ記憶部５７に記憶された総ての楽曲ＩＤ、利用者ＩＤ及びテンポレベルをホスト装置１１に送信され、ホスト装置１１では演奏ログＤＢ２４に格納するものである（Ｓ４２）。
【００４２】
なお、歌唱により演奏ログ記憶部５７に、１日単位のような所定期間内の総ての演奏ログを記憶させ、記憶された総ての楽曲ＩＤ、利用者ＩＤ及びテンポレベルのホスト装置１１への送信を、ログアウト時ではなく、例えば１日毎のような所定期間毎としてもよい。この場合、演奏ログ記憶部５７をＲＡＭ４４ではなく、別の記憶手段で記憶させることとしてもよい。
【００４３】
このように、高齢者などの原曲テンポでは歌唱困難な利用者に対して、予めカード等に登録しておくことなく、歌唱の際に自動的にテンポ調整を行わせることができるものであり、ひいては歌唱を喚起させ、カラオケ利用を喚起させることができるものである。
【産業上の利用可能性】
【００４４】
本発明のテンポ調整機能を備えるカラオケシステムは、カラオケの基本的機能を備えるカラオケ装置の分野に利用可能である。
【図面の簡単な説明】
【００４５】
【図１】本発明に係るカラオケシステムの系統構成図である。
【図２】本発明のカラオケシステムに係るカラオケ演奏端末のブロック構成図である
【図３】図１の演奏楽曲分析手段の処理フローチャートである。
【図４】図１の演奏楽曲分析手段による特定楽曲、テンポ対応テーブル設定の処理説明図である。
【図５】図２のカラオケ演奏端末におけるログイン時の処理フローチャートである。
【図６】図２のカラオケ演奏端末におけるテンポ調整の処理フローチャートである。
【図７】図２のカラオケ演奏端末における選曲時の画面表示の説明図である。
【図８】図２のカラオケ演奏端末における予約待ち行列の概念説明図である。
【図９】図２のカラオケ演奏端末におけるログアウト時の処理フローチャートである。
【符号の説明】
【００４６】
１１            ホスト装置
１３            カラオケ演奏端末
２３            演奏楽曲分析手段
２３Ａ，５６    テンポレベル対応テーブル
２４            演奏ログＤＢ
２５            利用者ＤＢ
３２            カラオケ演奏装置
３８            利用者ＩＤ読取部
５０            利用者年齢取得手段
５１            テーブル取得手段
５２            テンポ設定手段
５４            利用者情報記憶部
５５            予約待ち行列
５７            演奏ログ記憶部
【図１】
0004948310.tif 000002
【図２】
0004948310.tif 000003
【図３】
0004948310.tif 000004
【図４】
0004948310.tif 000005
【図５】
0004948310.tif 000006
【図６】
0004948310.tif 000007
【図７】
0004948310.tif 000008
【図８】
0004948310.tif 000009
【図９】
0004948310.tif 000010